(57)【要約】      （修正有）【課題】凹凸立体感に富む金属成形瓦のようなデザインを呈する新設金属横葺屋根の軒先部まわりの雨仕舞の向上を図れ、また外観意匠に優れる改修金属屋根の軒先構造の提供。【解決手段】新設金属屋根材の軒先側端６ａが既設屋根材２の軒先側端よりも棟側方向に横葺きされる。新設金属屋根材６は軒棟方向に延びる主面凹部と主面凸部とを左右横方向に交互に設けた主面板部１２と、前記主面凹凸部の軒先側端にそれぞれ連続する前面凸凹部を有する前面板部１５、及び前記前面凸凹部にそれぞれ連続する係合片凹凸部を有する前部係合片１８とを備える。新設金属屋根材６の主面板部１２を所定勾配に受止め支持する山形部、及び固定片を有する吊子３０が、新設軒先唐草８の屋根載置部２４に固定片を重ね合せて止め具２９により固定される。前部係合片１８が吊子３０の山形部と新設軒先唐草８の屋根載置部２４との間に挿入係合される。【選択図】図２
2006274692.tif 000002
【特許請求の範囲】
【請求項１】
既設屋根材の上に最前列の新設金属屋根材が、該新設金属屋根材の軒先側端が前記既設屋根材の軒先側端よりも棟側方向に所定間隔だけずれた位置になるように葺かれ、唐草主面部とこの唐草主面部の上端から棟側方向に連設した屋根載置部とを有する新設軒先唐草が、前記唐草主面部で前記既設屋根材の軒先部を覆い、かつ前記屋根載置部を前記新設金属屋根材の軒先側に露出する前記既設屋根材の露出部の上に敷設するよう設置されている改修金属屋根の軒先構造において、
前記新設金属屋根材が軒棟方向に延びる主面凹部と主面凸部とを左右横方向に交互に設けた主面板部と、この主面板部の軒先側端から下向きに連設され前記主面凹部の軒先側端に連続する前面凸部と前記主面凸部の軒先側端に連続する前面凹部を有する前面板部、および該前面板部の下端から棟側方向に折り返され前記前面凸部および前面凹部にそれぞれ連続する係合片凹部および係合片凸部を有する前部係合片とを備えた横葺屋根材からなり、
前記新設軒先唐草の屋根載置部が、前記係合片凹部および係合片凸部にそれぞれ対応する凸部および凹部を有する形に形成されており、
前記新設金属屋根材の前記前面板部の背後で前記主面板部を所定勾配に受止め支持する山形部と、前記山形部の後方下端から棟方向に向けて連設した固定片とを有する吊子が、前記新設軒先唐草の屋根載置部の上に前記固定片を重ね合せてこの重合部に止め具を打ち込むことにより固定されており、
前記新設金属屋根材の前部係合片が前記吊子の山形部と前記新設軒先唐草の屋根載置部との間に挿入係合されていることを特徴とする、改修金属屋根の軒先構造。
【請求項２】
前記止め具が、新設軒先唐草の屋根載置部を既設屋根材に固定する止め具に兼用されている、請求項１記載の改修金属屋根の軒先構造。
【発明の詳細な説明】
【技術分野】
【０００１】
本発明は、屋根の改修に際し既設屋根材の上に新設金属屋根材が葺かれる改修金属屋根の軒先構造に関する。
【背景技術】
【０００２】
この種の改修金属屋根の軒先構造として、例えば、図７に示すように、既設屋根材４１の上に新設金属屋根材４２が、新設金属屋根材４２の軒先側端４２ａが既設屋根材４１の軒先側端４１ａよりも棟側方向に所定間隔Ｈだけずれた位置になるように葺かれ、新設金属屋根材４２の軒先部を覆う新設軒先唐草（軒先包み）４３が新設金属屋根材４２の軒先方向に露出する既設屋根材４１の露出部４１ｂの上に敷設されるものがある（特許文献１参照）。
これによれば、新設金属屋根材４２の軒先側端４２ａが既設屋根材４１の軒先側端４１ａよりも棟側方向に所定間隔だけずれた位置になるように葺かれるので、新設金属屋根材４２の軒先側端４２ａを既設屋根材４１の軒先側端４１ａに揃えて葺く改修工法の場合のように、新設金属屋根材４２の軒先の、既設軒樋４４からの高さが、高くなるようなことがなくなる。したがって、屋根の改修に際し既設軒樋４４は付け直すことなく既設状態のままにしておいても、新設金属屋根板４２を流れる雨水は既設軒樋４４を飛び越えて流れ落ちるようなことがなく、既設屋根材４１の露出部の上に敷設された新設軒先唐草４３の上を伝ってから既設軒樋４４に確実に流入する。
【０００３】
【特許文献１】特開平１０−１３１４１２号公報
【発明の開示】
【発明が解決しようとする課題】
【０００４】
上記従来の改修金属屋根の軒先構造では、新設軒先唐草４３を既設屋根材４１に固定するにあたり、該新設軒先唐草４３の、既設屋根材４１の露出部４１ｂを覆う屋根載置部４３ａにセルフドリリングビス４５を打ち込んで既設屋根材４１に固定し、更に該セルフドリリングビス４５の打込箇所に該ビス頭部を覆うように防水シート４６を被着させている。しかしながら、かかるセルフドリリングビス４５の打込箇所は、新設金属屋根材４２の軒先側端部の裏面側であって軒先部からの雨水が浸入しやすい箇所であるため、防水シート４６を被着させるだけでは防水対策が十分なものとはいえなかった。また、新設金属屋根材４２の軒先側端部の裏面部に、セルフドリリングビス４５の頭部との当接を避けるために切欠部４７を形成するとなると、新設金属屋根材４２を軒先側の正面から切欠部４７がよく見えるため改修屋根の美観を損ないやすい。
【０００５】
本発明の目的は、上記のような、新設金属屋根材の軒先側端が既設屋根材の軒先側端よりも棟側方向に所定間隔だけずれた位置になるように葺かれる改修金属屋根の軒先構造において、新設金属屋根材として凹凸立体感に富む金属成形瓦のようなデザインを呈する横葺屋根材を採用し、この新設金属横葺屋根の軒先部まわりの雨仕舞いの向上を図れ、また外観意匠に優れる改修金属屋根の軒先構造を提供することにある。
【課題を解決するための手段】
【０００６】
上記目的を達成するために、本発明の前提とする改修金属屋根の軒先構造は、その発明の内容を理解し易くするために図１〜６に付した符号を参照して説明すると、既設屋根材（２）の上に最前列の新設金属屋根材（６）が、該新設金属屋根材（６）の軒先側端（６ａ）が既設屋根材（２）の軒先側端（２ａ）よりも棟側方向に所定間隔（Ｈ）だけずれた位置になるように葺かれ、唐草主面部（２３）とこの唐草主面部の上端から棟側方向に連設した屋根載置部（２４）とを有する新設軒先唐草（８）が、唐草主面部（２３）で既設屋根材（２）の軒先部を覆い、かつ屋根載置部（２４）を新設金属屋根材（６）の軒先方向に露出する前記既設屋根材（２）の露出部の上に敷設するよう設置されている。
そのうえで、本発明は、前記新設金属屋根材（６）が軒棟方向に延びる主面凹部（１０）と主面凸部（１１）とを左右横方向に交互に設けた主面板部（１２）と、この主面板部の軒先側端から下向きに連設され前記主面凹部（１０）の軒先側端に連続する前面凸部（１３）と前記主面凸部（１１）の軒先側端に連続する前面凹部（１４）を有する前面板部（１５）、および該前面板部（１５）の下端から棟側方向に折り返され前記前面凸部（１３）および前面凹部（１４）にそれぞれ連続する係合片凹部（１６）および係合片凸部（１７）を有する前部係合片（１８）とを備えた横葺屋根材からなること、
前記新設軒先唐草（８）の屋根載置部（２４）が、前記係合片凹部（１６）および係合片凸部（１７）にそれぞれ対応する凸部（２６）および凹部（２５）を有する形に形成されていること、
前記新設金属屋根材（６）の前面板部（１５）の背後で主面板部（１２）を所定勾配に受止め支持する山形部（３１）と、この山形部の後方下端から棟方向に向けて連設した固定片（３３）とを有する吊子（３０）が、前記新設軒先唐草（８）の屋根載置部（２４）の上に前記固定片（３３）を重ね合せてこの重合部に止め具（２９）を打ち込むことにより固定されていること、
前記新設金属屋根材（６）の前部係合片（１８）が前記吊子（３０）の山形部（３１）と前記新設軒先唐草（８）の屋根載置部（２４）との間に挿入係合されていること、に特徴を有するものである。
【０００７】
この場合において、前記止め具は、新設軒先唐草の屋根載置部を既設屋根材に固定する止め具に兼用することが、部材点数および施工工数を減少するうえで好ましい。
【発明の効果】
【０００８】
既設屋根材の上に新設金属屋根材が、新設金属屋根材の軒先側端が既設屋根材の軒先側端よりも棟側方向に所定間隔だけずれた位置になるように葺かれているので、屋根の改修に際し、新設金属屋根材の軒先の、既設軒樋からの高さが、高くなるようなことがなくなり、既設軒樋は付け直すことなく既設状態のままにしておいても、新設金属屋根板を流れる雨水は既設軒樋を飛び越えて流れ落ちるようなことがなく、既設屋根材の露出部の上に敷設された新設軒先唐草の屋根載置部上を伝ってから既設軒樋に確実に流入する。
【０００９】
新設金属屋根材が、軒棟方向に延びる主面凹部と主面凸部とを左右横方向に交互に設けた主面板部と、この主面板部の軒先側端から下向きに連設され前記主面凹部の軒先側端に連続する前面凸部と前記主面凸部の軒先側端に連続する前面凹部を有する前面板部、および該前面板部の下端から棟側方向に折り返され前記前面凹部および前面凸部にそれぞれ連続する係合片凸部および係合片凹部を有する係合片とを備えた横葺屋根材からなるので、凹凸立体感のある金属成形瓦のようなデザインの屋根に改修できる。
【００１０】
とくに、本発明では、新設軒先唐草の屋根載置部が、新設金属屋根材の前部係合片の係合片凹部および係合片凸部に対応する凹凸部を有する形に形成されているので、新設金属屋根材の前面板部の下端と新設軒先唐草の屋根載置部との間を隙間なく塞ぐことができて軒先部からの雨水の浸入を防ぐことができ、また新設金属屋根材を軒先側から見ても外観意匠に優れるものとなる。
【００１１】
また、新設金属屋根材の前部係合片を係合保持する吊子の固定片を新設軒先唐草の屋根載置部に打ち込む止め具は、上記のように新設軒先唐草の屋根載置部との間で隙間なく塞がれる新設金属屋根材の前面板部の背後に納められることになるので、止め具の打ち込み箇所での防水対策が十分に施される。
【発明を実施するための最良の形態】
【００１２】
本発明の好適な実施形態を図面に基づき説明する。図１は本発明の一実施例を示す改修金属屋根の軒先部の外観斜視図、図２は図１におけるＡ−Ａ線断面図、図３は図１におけるＢ−Ｂ線断面図、図４は図２におけるＣ部の拡大図、図５は新設金属屋根材の斜視図、図６は新設軒先唐草の斜視図である。
【００１３】
図１〜図３において、１は合板などの屋根下地、２は屋根下地１の上に防水シート３を介して葺かれた既設屋根材、４は既設屋根材２の軒先部を覆う既設軒先唐草、５は既設軒樋である。６は、既設屋根の改修にあたり既設屋根材２の上に防水シート７を介して葺かれた新設金属屋根材、８は新設金属屋根材６の軒先部を覆う新設軒先唐草である。
【００１４】
新設金属屋根材６は、図１、図５に示すように、凹凸立体感に富む金属成形瓦のようなデザインを呈する横葺屋根材からなる。すなわち、その横葺屋根材は軒棟方向に延びる主面凹部１０と主面凸部１１とを軒棟方向と直交する左右横方向に交互に設けた主面板部１２と、この主面板部１２の軒先側端から下向きに連設され、主面凹部１０の軒先側端に連続する前面凸部１３と主面凸部１１の軒先側端に連続する前面凹部１４を有する前面板部１５、および該前面板部１５の下端から棟側方向に折り返され、前面凸部１３および前面凹部１４にそれぞれ連続する係合片凹部１６および係合片凸部１７を有する前部係合片１８とを備えてなる。必要に応じて、主面板部１２の棟側端から上向きに連設した後面板部１９と、この後面板部１９の上端から軒先側方向に折り返した後部係合片２０とを備える。後面板部１９には主面凹部１０の棟側端に連続する後面凹部２１と主面凸部１１の棟側端に連続する後面凸部２２を設けている。後部係合片２０には後面凹部２１および後面凸部２２にそれぞれ連続する係合片凸部２３および係合片凹部２４を設けている。
【００１５】
新設軒先唐草８は、図１、図６に示すように、金属板からなる唐草主面部２３と、この唐草主面部２３の上端から棟側方向に連設した屋根載置部２４とを有する形に形成される。屋根載置部２４には、新設金属屋根材６の前部係合片１８の係合片凹部１６に対応する凸部２５と係合片凸部１７に対応する凹部２６とを左右横方向に交互に設けている。必要に応じて、唐草主面部２３にも屋根載置部２４の凹部２６に連続する凸部２７と凸部２５に連続する凹部２８とを左右横方向に交互に設ける。
【００１６】
屋根の改修に際し既設屋根材２の上に新設金属屋根材６を横葺するには、図２、図４に示すように、最前列の新設金属屋根材６が、該新設金属屋根材６の軒先側端６ａが既設屋根材２の軒先側端２ａよりも棟側方向に所定間隔Ｈだけずれた位置になるように葺かれる。その所定間隔Ｈは、新設金属屋根材６の軒先側端６ａの既設樋５からの高さや新設金属屋根材６の勾配などにより長短に調節されるが、新設金属屋根材６を流下する雨水が、後述するよう既設屋根材２の露出部の上に敷設される新設軒先唐草８の屋根載置部２４上を伝って既設軒樋５を飛び越えることなく、該既設軒樋５の中に確実に流入するような距離に設定される。
【００１７】
そのように新設金属屋根材６を葺くに先立って、先ず、図２、図４に示すように、既設屋根材２の軒先部に新設軒先唐草８が唐草主面部２３で既設屋根材２の軒先部を覆うように屋根載置部２４を既設屋根材２の上に敷設し、セルフドリリングビスなどの止め具２９を屋根載置部２４に打ち込んで既設屋根材２に固定する。その際、新設軒先唐草８の屋根載置部２４の凹部２６の上に、最前列の新設金属屋根材６の主面凸部１１、前面凹部１４、係合片凸部１７が位置するようにして新設金属屋根材６を所定勾配で支持固定するための吊子３０を前記止め具２９で共締め固定する。
吊子３０は、山形部３１と、この山形部３１の前方下端から軒先方向に向けて連設した前向き片３２、および山形部３１の後方下端から棟方向に向けて連設した固定片３３とを有する、側面視において断面ハット形に形成されている。この吊子３０は、前向き片３２が新設軒先唐草８の屋根載置部２４の凹部２６との間に隙間を形成するように固定片３３を新設軒先唐草８の屋根載置部２４の上に重ねこの重合部に止め具２９を打ち込んで固定される。
なお、吊子３０は必ずしも前向き片３２を有する形のものに限られず、前向き片３２に代えて後向き片（図示せず）であってもよく、またこれら前向き片３２や後向き片が無い形のものであってもよい。この場合、吊子３０は山形部３１の前方下端部と新設軒先唐草８の屋根載置部２４の凹部２６との間に隙間を形成するように新設軒先唐草８の屋根載置部２４の上に止め具２９で固定される。
【００１８】
次いで、最前列の新設金属屋根材６を葺くが、このとき、図２、図４に示すように、新設金属屋根材６の主面板部１２を吊子３０の山形部３１の上に所定勾配に載せるとともに、新設金属屋根材６の前部係合片１８を吊子３０の前向き片３２又は山形部３１の前方下端部と新設軒先唐草８の屋根載置部２４との間の隙間に挿入係合することにより最前列の新設金属屋根材６の軒先側端６ａが固定される。その際、新設金属屋根材６の軒先側に露出する既設屋根材２の露出部上には新設軒先唐草８の屋根載置部２４が敷設されるが、その屋根載置部２４は、新設金属屋根材６の前部係合片１８の係合片凹部１６および係合片凸部１７に対応する凹凸部２６，２５を有する形に形成されているので、新設金属屋根材６の前面板部１５の下端と新設軒先唐草８の屋根載置部２４との間が隙間なく塞がれることになる。したがって、軒先部からの雨水が新設金属屋根材６の前面板部１５の後方へ浸入するのを防止でき、また新設金属屋根材６を軒先側から見ても外観意匠に優れるものとなる。
【００１９】
最前列の新設金属屋根材６の棟側端６ｂは、図３に示すように、該新設金属屋根材６の棟側端６ｂより後方の既設屋根材２の上に、上記吊子３０と同じように山形部３４、前向き片３５および固定片３６を有する吊子３７の固定片３６を止め具３８で最前列の新設金属屋根材６の主面凹部１０が位置する箇所で固定し、その山形部３４で新設金属屋根材６の棟側端６ｂの後面板部１９及び後部係合片２０を押さえ付けるよう止め具３８で共締めすることにより固定される。二列目の新設金属屋根材６の軒先側端６ａはその前部係合片１８を吊子３７の前向き片３５又は山形部３４の前方下端部と既設屋根材２との間の隙間に挿入係合することにより固定される。二列目の新設金属屋根材６の棟側端６ｂは、前記最前列の新設金属屋根材６の棟側端６ｂの吊子３７による固定要領と同じ要領で固定される。三列目以降の新設金属屋根材６の軒先側端６ａおよび棟側端６ｂも同様に固定されて行く。
【００２０】
上記のように新設金属屋根材６の前部係合片１８を係合保持する吊子３０の固定片３３を新設軒先唐草８の屋根載置部２４に打ち込む止め具２９は、新設軒先唐草８の屋根載置部２４との間で隙間なく塞がれる新設金属屋根材６の前面板部１８の背後に納められるので、止め具２９の打ち込み箇所での防水対策が十分に施される。止め具２９の頭部は更に既設屋根材２の上に敷設する防水シート７で覆うことにより止め具２９の打ち込み箇所での防水対策をより十分に行うことができる。
【図面の簡単な説明】
【００２１】
【図１】本発明の一実施例を示す改修金属屋根の軒先部の外観斜視図である。
【図２】図１におけるＡ−Ａ線断面図である。
【図３】図１におけるＢ−Ｂ線断面図である。
【図４】図２におけるＣ部の拡大図である。
【図５】新設金属屋根材の斜視図である。
【図６】新設軒先唐草の斜視図である。
【図７】従来例の改修金属屋根の軒先部の縦断面図である。
【符号の説明】
【００２２】
２  既設屋根材
６  新設金属屋根材
８  新設軒先唐草
１０  主面凹部
１１  主面凸部
１２  主面板部
１３  前面凸部
１４  前面凹部
１５  前面板部
１６  係合片凹部
１７  係合片凸部
１８  前部係合片
２３  唐草主面部
２４  屋根載置部
２５  屋根載置部の凸部
２６  屋根載置部の凹部
２９  止め具
３０  吊子
３１  山形部
３３  固定片
【図１】
2006274692.tif 000003
【図２】
2006274692.tif 000004
【図３】
2006274692.tif 000005
【図４】
2006274692.tif 000006
【図５】
2006274692.tif 000007
【図６】
2006274692.tif 000008
【図７】
2006274692.tif 000009